(57)【要約】      （修正有）【課題】配管や配線が設けられている屋上にも容易に手軽に設置でき、安定した作業を実行でき、構造がコンパクトで部品点数が少なく、分解、組み立ても行え、費用も大幅に削減することができる揚重装置を提供する。【解決手段】揚重装置は、屋上の周縁に設けられている防護フェンスＷの頂面を跨ぎ、その防護フェンスＷに固定される下向きコ字状の固定部材１を有し、その固定部材１の内方板１ｃに、少なくとも左右二本の伸縮可能な脚体と、その二本の伸縮可能な脚体の中間に軸安定のための中間脚９を各々頭部９ａで枢着可能に設けるとともに、固定部材１の天面にアームを旋回可能とする座金３を介して支持軸ピン４をアーム５の底面の支持孔６に挿入嵌着する。【選択図】図１
0003230370.tif 000002
【実用新案登録請求の範囲】
【請求項１】
屋上の周縁に設けられている防護フェンスの頂面を跨ぎ、その防護フェンスに固定される下向きコ字状の固定部材を有し、その固定部材の前記防護フェンスの内方板に、少なくとも左右二本の伸縮可能な脚体と、その二本の伸縮可能な脚体の中間に軸安定のための中間脚を各々頭部で枢着可能に設けるとともに、前記固定部材の天面にアームを旋回可能とする座金を介して支持軸ピンをアームの底面の支持孔に挿入嵌着してあることを特徴とする揚重装置の設置構造。
【請求項２】
前記座金の上面は前記防護フェンスの内側に向かって下る傾斜面とされていることを特徴とする請求項１に記載の揚重装置の設置構造。
【請求項３】
前記アームの支持孔は楕円形とされていることを特徴とする請求項１に記載の揚重装置の設置構造。
【請求項４】
前記左右二本の脚体は各々角パイプで成形され、各々サイズの異なる連結材が長さ調整のため摺動可能となっており、その長さは各々に形成された透孔の連通部に貫通されるロックピンで位置決めロックされ、左右の脚体は高さ、間隔を保持するため、フラットバーで固定されていることを特徴とする請求項１に記載の揚重装置の設置構造。
【請求項５】
前記固定部材の内面上部のコーナー部分には三角状をした補強部材が設けられていることを特徴とする請求項１に記載の揚重装置の設置構造。
【請求項６】
前記固定部材の前記防護フェンスへの固定は、固定部材の前記防護フェンスの外側となる外方板の内壁にゴム製板を備え、防護フェンスの内側壁に対しては前記中間脚にハンドル操作で進退するゴム製板を備え、そのゴム製板で防護フェンスを挟圧する構成となっていることを特徴とする請求項１に記載の揚重装置の設置構造。
【請求項７】
前記アームの他端には、バランスウェイトを垂設状態で備え、そのバランスウェイトは重合を可能とする平板として、その両端にはベルト通し環が備えられ、そのベルト通し環に挿通されたベルトによってアームに締着されていることを特徴とする請求項１に記載の揚重装置の設置構造。
【請求項８】
前記したバランスウェイトは四隅に支持脚を備えた据え台上に載置されていることを特徴とする請求項７に記載の揚重装置の設置構造。
【請求項９】
前記アームの上面には前記ベルトの位置ずれ防止のため断面Ｌ字状のアングル材が設けられていることを特徴とする請求項７に記載の揚重装置の設置構造。
【請求項１０】
分解、組み立てが可能となっていることを特徴とする請求項１〜９のうち１項に記載の揚重装置の設置構造。
【考案の詳細な説明】
【技術分野】
【０００１】
本考案は揚重装置の設置構造、特に高層建造物の屋上にセットして、重量物を持ち上げる、もしくは地上や途中階へ降ろすために使用する揚重装置の設置構造に関する。
【背景技術】
【０００２】
従来、特に高層建造物における窓ガラスの交換について、サイズが比較的小型で重量も軽い交換用の板ガラスは該当階までエレベーターを使用して搬入することも可能である。しかしながら、風圧に耐え、遮光等を考慮した積層ガラスはサイズも大きく、また、重量も２５０ｋｇ程度を超える場合も多く、エレベーターを使用することができない。
【０００３】
そこで、揚重機の一種であるクレーン、それもジブクレーンを使用して該当階まで対象ガラスを持ち上げることが考えられるが、現状、高層建造物、特にマンションにあっては隣接する高層建造物との間隔が狭くなっており、自由にクレーンを使用することが困難であり、加えて、クレーンを現場に設置するには複数のパートに分解したクレーンを搬送し、組み立てる必要があり、そのパートを各々搬送するため複数台のトラックの駐車も必要となって道路使用の制限から作業は困難を極めることとなっている。
【０００４】
また、高層建造物の屋上に揚重機を設置して作業をするとしても、現状、高層建造物には空調設備が行き亘っており、そのための配管や電気コード等が屋上に多数表出され、揚重機の安定した設置も制約され、好適な状態を設定することができないこととなっている。
【先行技術文献】
【特許文献】
【０００５】
出願人は、本願考案に関して、先行する技術文献を調査したが、格別に本願考案と関連し、類似していると思われる文献は発見できなかった。
【考案の概要】
【考案が解決しようとする課題】
【０００６】
本考案が解決しようとする問題点は、高層建造物にあって重量物を持ち上げたり、降下させる際にクレーンの設置もできず、エレベーターの使用もできない場合、屋上に配備し、既存の設備に干渉されず、また、傷つけることもなく揚重作業を実行可能とする設備、設置構造は存在していないという点である。
【課題を解決するための手段】
【０００７】
上記問題点を解決するために、本考案に係る揚重装置の設置構造は、屋上の周縁に設けられている防護フェンスの頂面を跨ぎ、その防護フェンスに固定される下向きコ字状の固定部材を有し、その固定部材の前記防護フェンスの内方板に、少なくとも左右二本の伸縮可能な脚体と、その二本の伸縮可能な脚体の中間に軸安定のための中間脚を各々頭部で枢着可能に設けるとともに、前記固定部材の天面にアームを旋回可能とする座金を介して支持軸ピンをアームの底面の支持孔に挿入嵌着してあることを特徴としている。
【０００８】
また、本考案に係る揚重装置の設置構造は、前記座金の上面は前記防護フェンスの内側に向かって下る傾斜面とされていることを特徴とし、前記アームの支持孔は楕円形とされていることを特徴としている。
【０００９】
さらに、本考案に係る揚重装置の設置構造は、前記左右二本の脚体は各々角パイプで成形され、各々サイズの異なる連結材が長さ調整のため摺動可能となっており、その長さは各々に形成された透孔の連通部に貫通されるロックピンで位置決めロックされ、左右の脚体は高さ、間隔を保持するため、フラットバーで固定されていることを特徴とし、前記固定部材の内面上部のコーナー部分には三角状をした補強部材が設けられていることを特徴としている。
【００１０】
そして、本考案に係る揚重装置の設置構造は、前記固定部材の前記防護フェンスへの固定は、固定部材の前記防護フェンスの外側となる外方板の内壁にゴム製板を備え、防護フェンスの内側壁に対しては前記中間脚にハンドル操作で進退するゴム製板を備え、そのゴム製板で防護フェンスを挟圧する構成となっていることを特徴としている。
【００１１】
また、本考案に係る揚重装置の設置構造は、前記アームの他端には、バランスウェイトを垂設状態で備え、そのバランスウェイトは重合を可能とする平板として、その両端にはベルト通し環が備えられ、そのベルト通し環に挿通されたベルトによってアームに締着されていることを特徴とし、前記したバランスウェイトは四隅に支持脚を備えた据え台上に載置されていることを特徴としている。
【００１２】
さらに、本考案に係る揚重装置の設置構造は、前記アームの上面には前記ベルトの位置ずれ防止のため断面Ｌ字状のアングル材が設けられていることを特徴とし、分解、組み立てが可能となっていることを特徴としている。
【考案の効果】
【００１３】
本考案に係る揚重装置の設置構造は上記のように構成されている。そのために、配管や配線が設けられている屋上にあっても、これらを避けて、既設の防護フェンスを負荷支承として利用することで容易に手軽に設置することができ、安定した作業を実行することができる。また、この揚重装置の設置構造は、構成もコンパクトで部品点数も少なくて済み、分解、組み立ても行えるため費用も大幅に削減することができる。
【図面の簡単な説明】
【００１４】
【図１】本考案に係る揚重装置の設置構造の支承部分を示す一部断面側面図である。
【図２】同じく正面図である。
【図３】同じく平面図である。
【図４】アームの連接構造を示す図である。
【図５】アームの支持孔を示す底面図である。
【図６】バランスウェイトの取り付け構造を示す正面図である。
【図７】同側面図である。
【図８】据え台を示す図である。
【考案を実施するための形態】
【００１５】
図面として示し、実施例で説明したように構成したことで実現した。
【実施例１】
【００１６】
次に、本考案の好ましい実施の一例を図面を参照して説明する。図中Ｗは屋上の周縁に設けられている防護フェンス（壁）を示している。この防護フェンスＷの上方には、防護フェンスＷの頂面を跨いで、その防護フェンスＷに固定される固定部材１が設けられている。この固定部材１は下向きコ字状となっており、天板１ａの一方端に防護フェンスＷの外方に位置する外方板１ｂと、他端に防護フェンスＷの内側に位置する内方板１ｃを有している。
【００１７】
また、この固定部材１の天板１ａと外方板１ｂ及び内方板１ｃとで形成される内コーナー部分には固定部材１の変形、歪みを防止するための三角形をした補強部材２、２が設けられている。また、固定部材１は防護フェンスＷの頂面に柵や笠木が設けられている場合には、それの上方に配置され、外方板１ｂ及び内方板１ｃはコンクリート製の壁まで到達させることが望ましい。
【００１８】
固定部材１の天板１ａの上面には座金３が固設されているもので、この座金３の上面は防護フェンスＷの内側方向に向けて下り傾斜となる平滑な傾斜面が形成されており、この傾斜面の角度は内側の高さと外側の高さの比で１：１．０３程度のものでよく、後述するアームを防護フェンスＷの内側に向けて傾斜を構成し、アームに対する負荷が防護フェンスＷの外方にかかるのを防ぐためである。
【００１９】
前記座金３には支持軸ピン４が天板１ａと直角に上方に向けて突出されており、この支持軸ピン４に角パイプで成形されたアーム５の底面に形成された支持孔６に挿入嵌着され、アーム５の一端側を支持し、アーム５が取り付けられる。
【００２０】
また、前記支持孔６はアーム５の長手方向に沿って長軸を形成した楕円孔となっており、座金３の上面の傾斜面と相俟ってアーム５を有効に支承し、支持孔６の開口縁が支持軸ピン４との当接によって損傷してしまうことを防止しており、座金３の上面の平滑さと、支持軸ピン４によってアーム５は旋回を可能としている。尚、このアーム５を旋回させるとアーム５、特に外方へ突出する先端と防護フェンスＷとの距離が異なってしまうので、これを是正するため、支持孔６は複数列設され、最適のものを採択することができる。
【００２１】
一方、前記固定部材１の内方板１ｃには左右二本の脚体７、８がその頭部で枢動可能に設けられ、さらに、その左右二本の脚体７、８の中間には軸安定のための中間脚９が同じくその頭部で枢動可能に設けられている。左右二本の脚体７、８及び中間脚９は角パイプで成形されており、内方板１ｃに枢着される頭部７ａ、８ａ、９ａは延設された平板となっている。
【００２２】
前記左右の脚体７、８及び中間脚には各々定義ピッチで透孔７ｂ‥、８ｂ‥、９ｂ‥が設けられており、左右の脚体７、８の下方にはサイズの異なる連結材７ｃ、８ｃが摺動可能に設けられているもので、この連結材７ｃ、８ｃにも透孔７ｄ、８ｄが設けられており、連結材７ｃ、８ｃの摺動で各透孔７ｂと７ｄ、８ｂと８ｄを連通させ、ピンでロックすることで、各脚体７、８の高さが決められる。
【００２３】
左右の脚体７、８を高さ調整も含めて枢動させて開脚させた時、その開脚、強いては高さを固定するため、脚体７、８間にはフラットバー１０が架設される。この架設は透孔７ｂ、８ｂを利用してフラットバー１０に形成されている透孔とピンを貫通させることによって行われる。このフラットバー１０は一個所ではなく、複数個所に設置して安定を強化することができる。
【００２４】
前記固定部材１の防護フェンスＷへの固定については、固定部材１の外方板１ｂの内面にはゴム製板（パッド）１１が固設されて防護フェンスＷの外面に当接され、一方、中間脚９の上方位置の内側にはゴム製板（パッド）１２が透孔９ｂを挿通するボルト１３を介して設けられており、このボルト１３の一端には中間脚９の外側に回転ハンドル１４が取り付けられており、この回転ハンドル１４を回転操作することでゴム製板１２を防護フェンスＷの内面に当接され、回転ハンドル１４の締め付けで、二つのゴム製板１１、１２によって防護フェンスＷを挟圧することとなって位置固定される。
【００２５】
左右の脚体７、８及び中間脚９の構造は防護フェンスＷの近傍に配置される。これは、この場所には配管等が存在しないことが通例であることも理由の一つであるが、アーム５の支承を防護フェンスＷの近傍で行うことでもある。尚、この各脚体７、８の構造は、必要に応じてアーム５の中程にもウイングを形成して付設し、さらなる安定性を期すこともできる。
【００２６】
また、アーム５は必要に応じてフランジ５ａ、５ａを当接させ、ボルト締めして長さを補充することができる。このほか、脚体７、８、９と同様に角パイプであることを利用してサイズの異なる連結材を摺動によって連結し、ピン、ボルト等でその長さを固定する構成とすることもできる。
【００２７】
前記アーム５の他方端には安定性を保ち、バランスを保つためにバランスウェイト１５、１５‥が吊持される。このバランスウェイト１５は後述する据え台上に載置し易く、重積を容易に可能とするため平板状のものとすることが好ましい。これは、平皿状の容器として、そこに計量された砂、砂利等を詰めた構成とすることもでき、単品としての重量が決まっていると、アーム５のバランスのための必要数量も算出し易くなる。
【００２８】
前記バランスウェイト１５の両端にはベルト通し環１６、１６が設けられており、このベルト通し環１６、１６は運搬時の取手としても作用することができる。必要に応じてこのバランスウェイト１５、１５‥を単体でも、あるいは複数個を積層させて、ベルト通し環１６、１６‥に吊持用ベルト１７を通し、アーム５にバランスウェイト１５、１５‥を掛け吊りする。このバランスウェイト１５、１５‥の存在によってアーム５が防護フェンスＷの外方へ傾倒してしまうことが防止できる。
【００２９】
また、ベルト１７のアーム５への掛け回しについて、アーム５は防護フェンスＷの内側に向けて傾いた状態となっているので、そのままではアーム５の上面でベルト１７が滑り、位置ずれを生じる虞があるため、アーム５の上面には断面Ｌ字状としたアングル材１８を固設しておき、このアングル材１８にベルト１７を掛けることで、位置ずれを防止できる。尚、このアングル材１８は複数個を列設しておき、適宜なものを選んで使用することができる。
【００３０】
また、前記バランスウェイト１５、１５‥は据え台１９の上面に載置して使用することができる。この据え台１９は屋上の配管等を避けるため、四隅に支持脚２０、２０‥を設けた構成となっており、その両端には運搬用の取手２１、２１が設けられ多孔性となっている。
【００３１】
本実施例に係る揚重装置の設置構造は上記のように構成され、防護フェンスＷの外方に突出するアーム５の先端には、特に図示しない滑車機構が取り付けられ、アーム５の適宜位置に設けられるウインチ（図示せず）からのワイヤーロープを防護フェンスＷの外方に垂らして、重量物の持ち上げや降下の作業に供することができる。
【産業上の利用可能性】
【００３２】
本実施例に係る揚重装置の設置構造は上記のように構成され使用される。対象物として積層ガラスを例として挙げているが、これにこだわらず、エレベーターでは搬送が困難な重量家具等も勿論対象となり、引っ越し作業やリフォーム工事等の際にも資材や用具の運搬が容易となる。
【符号の説明】
【００３３】
１    固定部材
１ａ  天板
１ｂ  外方板
１ｃ  内方板
２    補強部材
３    座金
４    支持軸ピン
５    アーム
５ａ  フランジ
６    支持孔
７、８  脚体
９    中間脚
７ａ、８ａ、９ａ  頭部
７ｂ、８ｂ、９ｂ  透孔
７ｃ、８ｃ  連結材
７ｄ、８ｄ  透孔
１０  フラットバー
１１、１２  ゴム製板
１３  ボルト
１４  ハンドル
１５  バランスウェイト
１６  ベルト通し環
１７  ベルト
１８  アングル材
Ｗ    防護フェンス
【図１】
0003230370.tif 000003
【図２】
0003230370.tif 000004
【図３】
0003230370.tif 000005
【図４】
0003230370.tif 000006
【図５】
0003230370.tif 000007
【図６】
0003230370.tif 000008
【図７】
0003230370.tif 000009
【図８】
0003230370.tif 000010
【手続補正書】
【提出日】令和2年11月10日(2020.11.10)
【手続補正２】
【補正対象書類名】実用新案登録請求の範囲
【補正対象項目名】全文
【補正方法】変更
【補正の内容】
【実用新案登録請求の範囲】
【請求項１】
屋上の周縁に設けられている防護フェンスの頂面を跨ぎ、その防護フェンスに固定される下向きコ字状の固定部材を有し、その固定部材の前記防護フェンスの内方板に、少なくとも左右二本の伸縮可能な脚体と、その二本の伸縮可能な脚体の中間に軸安定のための中間脚を各々頭部で枢着可能に設けるとともに、前記固定部材の天面にアームを旋回可能とする座金を介して支持軸ピンをアームの底面の支持孔に挿入嵌着してあることを特徴とする揚重装置。
【請求項２】
前記座金の上面は前記防護フェンスの内側に向かって下る傾斜面とされていることを特徴とする請求項１に記載の揚重装置。
【請求項３】
前記アームの支持孔は楕円形とされていることを特徴とする請求項１に記載の揚重装置。
【請求項４】
前記左右二本の脚体は各々角パイプで成形され、各々サイズの異なる連結材が長さ調整のため摺動可能となっており、その長さは各々に形成された透孔の連通部に貫通されるロックピンで位置決めロックされ、左右の脚体は高さ、間隔を保持するため、フラットバーで固定されていることを特徴とする請求項１に記載の揚重装置。
【請求項５】
前記固定部材の内面上部のコーナー部分には三角状をした補強部材が設けられていることを特徴とする請求項１に記載の揚重装置。
【請求項６】
前記固定部材の前記防護フェンスへの固定は、固定部材の前記防護フェンスの外側となる外方板の内壁にゴム製板を備え、防護フェンスの内側壁に対しては前記中間脚にハンドル操作で進退するゴム製板を備え、そのゴム製板で防護フェンスを挟圧する構成となっていることを特徴とする請求項１に記載の揚重装置。
【請求項７】
前記アームの他端には、バランスウェイトを垂設状態で備え、そのバランスウェイトは重合を可能とする平板として、その両端にはベルト通し環が備えられ、そのベルト通し環に挿通されたベルトによってアームに締着されていることを特徴とする請求項１に記載の揚重装置。
【請求項８】
前記したバランスウェイトは四隅に支持脚を備えた据え台上に載置されていることを特徴とする請求項７に記載の揚重装置。
【請求項９】
前記アームの上面には前記ベルトの位置ずれ防止のため断面Ｌ字状のアングル材が設けられていることを特徴とする請求項７に記載の揚重装置。
【請求項１０】
分解、組み立てが可能となっていることを特徴とする請求項１〜９のうち１項に記載の揚重装置。